(57)【特許請求の範囲】
【請求項１】
ＲＦＩＤ用ＩＣタグが内蔵されたゲームチップを一列に並べて収容可能な溝と、
前記ゲームチップに記憶された識別情報を読み取り可能な第１のアンテナ部と、
前記第１のアンテナ部と電気的に接続され、かつ、前記第１のアンテナ部を駆動して前記第１のアンテナ部から発せられる電磁波に基づいて前記識別情報を取得する制御装置と、
前記第１のアンテナ部から発せられる電磁波を受信して前記電磁波と共振して電磁波を発する、前記第１のアンテナ部及び前記制御装置と電気的に接続されていない第２のアンテナ部と、を備え、
前記ゲームチップの並び方向の前記溝の両側に、前記第１のアンテナ部と前記第２のアンテナ部とが設けられていることを特徴とするチップトレイ構造体。
【請求項２】
前記第１のアンテナ部は、ループアンテナであり、
前記ゲームチップは、ループアンテナを有し、
前記第１のアンテナ部のループ状のなす面が、前記溝に収容された前記ゲームチップのループアンテナのループ状のなす面と略平行になるように、前記第１のアンテナ部が配置されていることを特徴とする請求項１に記載のチップトレイ構造体。
【請求項３】
前記溝と直列になるように、かつ、前記溝との間に前記第１のアンテナ部を挟むように設けられ、前記ゲームチップを前記並び方向に一列に並べて収容可能な他の溝と、
前記第１のアンテナ部との間に前記他の溝を挟むように設けられ、前記第１のアンテナ部から発せられる電磁波を受信して前記電磁波と共振して電磁波を発する、前記第１のアンテナ部及び前記制御装置と電気的に接続されていない第３のアンテナ部と、を備え、
前記第１のアンテナ部は、ループアンテナであり、
前記第２のアンテナ部および前記第３のアンテナ部は、何れもループアンテナを有し、
前記第１のアンテナ部のループ状のなす面と、前記第２のアンテナ部のループアンテナのループ状のなす面と、前記第３のアンテナ部のループアンテナのループ状のなす面とが略平行になるように、前記第１のアンテナ部、前記第２のアンテナ部、および前記第３のアンテナ部が配置されていることを特徴とする請求項１に記載のチップトレイ構造体。
【請求項４】
互いに隣接するように前記溝が複数設けられ、
前記第２のアンテナ部により生成される共振波の領域によって、隣接した溝に収納された前記ゲームチップの識別情報が読み取られないように、前記第１のアンテナ部の大きさ、前記第１のアンテナ部に供給する電力の大きさ、及び前記第２のアンテナ部の大きさのうち少なくとも１つが調節されていることを特徴とする請求項１に記載のチップトレイ構造体。
【請求項５】
前記溝と直列になるように、かつ、前記溝との間に前記第２のアンテナ部を挟むように設けられ、前記ゲームチップを前記並び方向に一列に並べて収容可能な別の溝を備えることを特徴とする請求項１に記載のチップトレイ構造体。
【発明の詳細な説明】
【技術分野】
【０００１】
本発明は、カジノなどで使用される同一形状の複数のゲームチップを互いに隣接させた状態で、より多くのゲームチップとアクセスするためのチップトレイ構造体に関する。
【背景技術】
【０００２】
従来、カジノなどでは、ゲーム用チップの真贋判定や自動計測などをするために、ＲＦＩＤタグを内蔵したゲーム用チップが使用されている。具体的には、ＲＦＩＤ読み取り用のアンテナをゲーム用テーブルの下方に設け、アンテナから磁界を生成させる。生成させた磁界が、ゲーム用テーブルに置かれたゲーム用チップを貫くようにして、ＲＦＩＤタグに起電力を生じさせ、ベット用チップの識別情報（ユニークＩＤ）を検出していた（たとえば、特許文献１及び２参照）。
【０００３】
また、複数のアンテナを設けて読み書きをする場合には、複数のアンテナのうちの１つのアンテナを選択するための処理をしていた（たとえば、特許文献３参照）。
【先行技術文献】
【特許文献】
【０００４】
【特許文献１】特許第３８３９３０７号公報
【特許文献２】特許第４４０９５４０号公報
【特許文献３】特開２００９−９３３４０号公報
【発明の概要】
【発明が解決しようとする課題】
【０００５】
特許文献１及び２に開示されている装置の場合では、磁界の及ぶ範囲は、アンテナの形状とアンテナに加えるＲＦ信号の出力とによって決まる。したがって、ＲＦＩＤタグの感度に応じた一定以上の距離だけ、ＲＦＩＤタグがアンテナから離れると、ＩＣを動作させるための起電力がＲＦＩＤタグに生じなくなり、ＲＦＩＤタグの識別情報等の情報を読み取ることは困難になっていた。
【０００６】
たとえば、ゲーム用テーブルに複数のゲーム用チップを積み重ねる場合がある。ゲーム用テーブルに近い位置では、アンテナまでの距離が短いので、磁界の強度が大きく、十分に起電力を生じさせることができ、ＲＦＩＤタグを読み取ることができる。一方、ゲーム用テーブルから離隔した位置では、アンテナまでの距離が長くなるために、磁界の強度は小さく、十分な起電力を生じさせることができず、ＲＦＩＤタグを読み取ることが困難になる場合があった。ゲーム用テーブルに複数のゲーム用チップを積み重ねたときに、積み重ねた全てのゲーム用チップのＲＦＩＤタグを読み取ることが困難になる場合が生じた。このＲＦＩＤタグを読み取ることができる距離は、一般に、電磁波の強度やＲＦＩＤタグの感度などによって決まるので、一律に決定できるものではない。
【０００７】
また、特許文献３に開示されている装置の場合では、複数のアンテナのうちの１つのアンテナを選択するための処理をする必要があり、複数のアンテナの全てを用いて読み書きが完了するまでに時間を要した。また、選択するための処理を要し、制御処理が煩雑にならざるを得なかった。さらに、複数のアンテナの間で干渉が生ずる場合もあり、読み書きを終了したあとに照合するための処理をする必要があり、さらに時間を要するとともに処理が煩雑になった。
【０００８】
本発明は、上述の点に鑑みてなされたものであり、その目的とするところは、アンテナからの距離が長いために、読み取りが困難とされていた位置に存在するＲＦＩＤタグであっても、ＲＦＩＤタグに記憶されている識別情報を読み取ることができるチップトレイ構造体を提供することにある。
【課題を解決するための手段】
【０００９】
本発明に係るチップトレイ構造体は、
ＲＦＩＤ用ＩＣタグが内蔵されたゲームチップを一列に並べて収容可能な溝と、
前記ゲームチップに記憶された識別情報を読み取り可能な第１のアンテナ部と、
前記第１のアンテナ部と電気的に接続され、かつ、前記第１のアンテナ部を駆動して前記第１のアンテナ部から発せられる電磁波に基づいて前記識別情報を取得する制御装置と、
前記第１のアンテナ部から発せられる電磁波を受信して前記電磁波と共振して電磁波を発する、前記第１のアンテナ部及び前記制御装置と電気的に接続されていない第２のアンテナ部と、を備え、
前記ゲームチップの並び方向の前記溝の両側に、前記第１のアンテナ部と前記第２のアンテナ部とが設けられていることを特徴とする。
【００１０】
また、本発明に係るチップトレイ構造体では、
前記第１のアンテナ部は、ループアンテナであり、
前記ゲームチップは、ループアンテナを有し、
前記第１のアンテナ部のループ状のなす面が、前記溝に収容された前記ゲームチップのループアンテナのループ状のなす面と略平行になるように、前記第１のアンテナ部が配置されていることを特徴とする。
【００１１】
また、本発明に係るチップトレイ構造体は、
前記溝と直列になるように、かつ、前記溝との間に前記第１のアンテナ部を挟むように設けられ、前記ゲームチップを前記並び方向に一列に並べて収容可能な他の溝と、
前記第１のアンテナ部との間に前記他の溝を挟むように設けられ、前記第１のアンテナ部から発せられる電磁波を受信して前記電磁波と共振して電磁波を発する、前記第１のアンテナ部及び前記制御装置と電気的に接続されていない第３のアンテナ部と、を備え、
前記第１のアンテナ部は、ループアンテナであり、
前記第２のアンテナ部および前記第３のアンテナ部は、何れもループアンテナを有し、
前記第１のアンテナ部のループ状のなす面と、前記第２のアンテナ部のループアンテナのループ状のなす面と、前記第３のアンテナ部のループアンテナのループ状のなす面とが略平行になるように、前記第１のアンテナ部、前記第２のアンテナ部、および前記第３のアンテナ部が配置されていることを特徴とする。
【００１２】
また、本発明に係るチップトレイ構造体では、
互いに隣接するように前記溝が複数設けられ、
前記第２のアンテナ部により生成される共振波の領域によって、隣接した溝に収納された前記ゲームチップの識別情報が読み取られないように、前記第１のアンテナ部の大きさ、前記第１のアンテナ部に供給する電力の大きさ、及び前記第２のアンテナ部の大きさのうち少なくとも１つが調節されていることを特徴とする。
【００１３】
また、本発明に係るチップトレイ構造体は、
前記溝と直列になるように、かつ、前記溝との間に前記第２のアンテナ部を挟むように設けられ、前記ゲームチップを前記並び方向に一列に並べて収容可能な別の溝を備えることを特徴とする。
【発明の効果】
【００１４】
アクセスが困難とされていた位置に配置されたＲＦＩＤタグとアクセスができる。
【図面の簡単な説明】
【００１５】
【図１】識別情報アクセス装置の概要を示すブロック図である。
【図２】本実施の形態による識別情報アクセス装置１の構成を示す概略図である。
【図３】共振装置３１０の具体的な構成を示す図である。
【図４】ＲＦリーダライタ２００の構成を示すブロック図である。
【図５】ゲーム用チップ４００の構成を示すブロック図である。
【図６】第１のアンテナ装置１００と第２のアンテナ装置３００との距離と、第１のアンテナ装置１００の駆動と第２のアンテナ装置３００の駆動とによって生成される電磁波の強度との関係を示すグラフである。
【図７】第１のアンテナ装置１００の駆動と第２のアンテナ装置３００の駆動とによって生成される電磁波と磁力線との様子を示す図である。
【図８】チップトレイ構造体６００を示す斜視図である。
【図９】直列に並んだ２本の溝６１２に設けられた第１のアンテナ装置１００と第２のアンテナ装置３００との概略を示す図である。
【発明を実施するための形態】
【００１６】
以下に、実施の形態について図面に基づいて説明する。
【００１７】
＜＜＜識別情報アクセス装置の概要＞＞＞
図１は、識別情報アクセス装置の概要を示すブロック図である。
【００１８】
本発明の実施の形態に係る識別情報アクセス装置は、
記憶媒体４０（たとえば、後述するゲーム用チップ４００など）が有するＲＦＩＤ用ＩＣタグ４２（たとえば、後述するＲＦＩＤ用ＩＣタグ４１０など）に記憶された識別情報を読み取ることができる第１のアンテナ部１０（たとえば、後述する第１のアンテナ装置１００など）と、
前記第１のアンテナ部１０と電気的に接続され、かつ、前記第１のアンテナ部１０を駆動して前記第１のアンテナ部１０から発する電磁波に基づいて前記識別情報を取得する制御装置（たとえば、後述するＲＦリーダライタ２００など）と、
前記第１のアンテナ部１０と別体の第２のアンテナ部３０であって、前記第１のアンテナ部１０から離隔した位置に配置され、かつ、前記第１のアンテナ部１０及び前記制御装置２０と電気的に接続されていない第２のアンテナ部３０（たとえば、後述する第２のアンテナ装置３００など）と、を備える。
【００１９】
この構成によれば、第１のアンテナ部１０から発する電磁波を受信し、受信した電磁波に応じて、第２のアンテナ部３０からも電磁波を発するようにできる。このようにして、第１のアンテナ部１０から離隔した位置に配置された第２のアンテナ部３０からも電磁波を発するようにできる。したがって、従来、ＲＦＩＤタグの読み取りが困難とされていた位置に、第１のアンテナ部１０から発する電磁波又は第２のアンテナ部３０から発する電磁波を的確に伝えて、記憶媒体４０に受信させることができる。
【００２０】
また、第１のアンテナ部１０から発する電磁波のみで第２のアンテナ部３０から電磁波を発することができるので、第２のアンテナ部３０に電源を供給する必要がなく、構成や処理を簡素にできる。
【００２１】
また、第２のアンテナ部３０を制御装置に導線などで電気的に接続することなく、第２のアンテナ部３０から電磁波を発するようにできるので、構成を簡素にできるとともに、第２のアンテナ部３０の制御処理を不要にできる。
【００２２】
さらにまた、第１のアンテナ部１０と第２のアンテナ部３０とを設けても、これらのアンテナを選択する処理や装置を不要にし、構成や処理を簡素にできる。
【００２３】
また、第１のアンテナ部１０と第２のアンテナ部３０とを設けても、第１のアンテナ部１０のみで識別情報を読み取ることができるので、読み取った後の識別情報の照合処理を不用にでき、処理を簡素にでき、処理時間を短くできる。さらに、第１のアンテナ部１０のみで識別情報を読み取るので、干渉の影響も受けることなく、識別情報を読み取ることができる。
【００２４】
本発明の実施の形態に係る特徴は、上述した構成において、
前記第２のアンテナ部３０は、前記第１のアンテナ部１０から発せられる電磁波を受信し、受信した電磁波と共振できる共振部３１（たとえば、後述する共振装置３１０など）を有する。共振部３１は、受信した電磁波によって共振される。
【００２５】
この構成によれば、共振部３１は、受信した電磁波によって共振されるので、受信した電磁波と共振による電磁波を生成することができ、第２のアンテナ部３０から的確に電磁波を発することができる。共振させればよいので、第２のアンテナ部３０に電源を供給する必要がなく、構成や処理を簡素にできる。
【００２６】
本発明の実施の形態に係る特徴は、上述した構成において、
前記共振部３１は、前記第１のアンテナ部１０から発せられる電磁波を受信できるアンテナ３２（たとえば、後述するアンテナ３２０など）と、所定の静電容量を有する静電部材３３（たとえば、後述するコンデンサ３３０など）と、所定の抵抗値を示す抵抗部材３４（たとえば、後述する抵抗３４０など）と、を有する共振回路を備える。
【００２７】
この構成によれば、第１のアンテナ部１０から発せられる電磁波などの各種の条件に応じて、所望する共振条件を容易に定めたり変更したりできるので、構成を簡素にできるとともに簡便に使用できる。
【００２８】
本発明の実施の形態に係る特徴は、上述した構成において、
前記記憶媒体４０は、前記識別情報を読み取るための制御部４４（たとえば、後述する制御部４１２など）を有し、
前記制御部４４の駆動に必要な起電力は、前記第１のアンテナ部１０の駆動と前記第２のアンテナ部３０の駆動とによって生成される電磁波により生じ前記制御部４４に供給される。
【００２９】
この構成によれば、制御部４４の駆動に必要な起電力は、第１のアンテナ部１０の駆動と第２のアンテナ部３０の駆動とによって発せられる電磁波により生成されるので、電池など電源などを用いることがなく、制御部４４を駆動することができ、記憶媒体４０の構成を簡素にできる。また、制御部４４を駆動できるので、従来、読み取りが困難とされていた位置にＲＦＩＤタグが存在する場合でも、識別情報を制御装置に供給できる。
【００３０】
本発明の実施の形態に係る特徴は、上述した構成において、
前記記憶媒体４０を配置できる位置において、前記第１のアンテナ部１０の駆動と前記第２のアンテナ部３０の駆動とによって生成される電磁波の強度を所定の強度以上にする。
【００３１】
この構成によれば、所定の強度以上にするので、従来、読み取りが困難とされていた位置にＲＦＩＤタグが存在する場合でも、制御部４４の駆動に必要な起電力を生じさせることができる。
【００３２】
本発明の実施の形態に係る特徴は、上述した構成において、
前記制御装置２０による前記第１のアンテナ部１０の駆動と、前記共振部による前記第２のアンテナ部３０の駆動とによって生成される電磁波の周波数は、前記第１のアンテナ部１０から発せられる電磁波の周波数と同じである。
【００３３】
この構成によれば、同じ周波数の電磁波を生じさせるので、共振を的確に起こすことができ、制御部４４の駆動に必要な起電力を十分に生じさせることができる。
【００３４】
本発明の実施の形態に係る特徴は、上述した構成において、
前記記憶媒体４０は、ＲＦＩＤ用ＩＣタグが内蔵されたカジノ用ゲームチップである。
【００３５】
この構成によれば、カジノでのカジノ用ゲームチップの管理を的確に行うことができる。
【００３６】
＜＜＜識別情報アクセス装置１の構成＞＞＞
図２は、識別情報アクセス装置１の構成を示す概略図である。
識別情報アクセス装置１は、第１のアンテナ装置１００とＲＦリーダライタ２００と第２のアンテナ装置３００とを有する。
【００３７】
＜＜第２のアンテナ装置３００＞＞
第２のアンテナ装置３００は、共振装置３１０を有する。
【００３８】
＜共振装置３１０の構成＞
図３は、共振装置３１０の具体的な構成を示す図である。
共振装置３１０は、アンテナ３２０とコンデンサ３３０と抵抗３４０とが並列に接続された共振回路によって構成される。すなわち、共振装置３１０は、いわゆるＲＬＣ並列回路によって構成される。
【００３９】
共振装置３１０において、アンテナ３２０は、ＨＦ帯を想定しており、いわゆるループアンテナであり、導線を環状（ループ状）にして形成されたアンテナである。アンテナ３２０は、インダクタンスＬのコイルとして機能する。アンテナ３２０の近傍では、磁界成分が支配的になる。
【００４０】
コンデンサ３３０は、容量Ｃ（キャパシタンスＣ）を有する。また、抵抗３４０は、抵抗値Ｒを有する。これらのインダクタンスＬと容量Ｃとを適宜決定することによって、共振装置３１０における共振周波数を定めることができる。共振周波数は、後述する第１のアンテナ装置１００から発せられる電磁波の周波数と略同一である。
【００４１】
第２のアンテナ装置３００は、第１のアンテナ装置１００から発せられる電磁波を受信する。共振装置３１０は、受信した電磁波によって、受信した電磁波の周波数と略同一の共振周波数の共振波を生成し、アンテナ３２０から共振波を出力する。
【００４２】
第２のアンテナ装置３００は、後述する第１のアンテナ装置１００やＲＦリーダライタ２００の構成と電気的に接続されていない。また、第２のアンテナ装置３００は、第１のアンテナ装置１００やＲＦリーダライタ２００から離隔した位置に配置されている。
【００４３】
＜＜第１のアンテナ装置１００＞＞
第１のアンテナ装置１００は、アンテナ１１０によって構成される。アンテナ１１０も、アンテナ３２０と同様に、ＨＦ帯を想定しており、いわゆるループアンテナであり、導線を環状（ループ状）にして形成されたアンテナである。アンテナ１１０も、所定のインダクタンスのコイルとして機能する。アンテナ１１０の近傍では、磁界成分が支配的になる。第１のアンテナ装置１００は、後述するＲＦリーダライタ２００に電気的に接続されている。
【００４４】
第１のアンテナ装置１００は、後述するＲＦリーダライタ２００の変調部２２２から受け取った変調信号を変調波として、ゲーム用チップ４００に向けて送信する。また、第１のアンテナ装置１００は、ゲーム用チップ４００から送信された変調波を受信し、この変調波を変調信号として、後述するＲＦリーダライタ２００の復調部２２４に供給する。
【００４５】
＜＜ＲＦリーダライタ２００の構成＞＞
図４は、ＲＦリーダライタ２００の構成を示すブロック図である。
【００４６】
ＲＦリーダライタ２００は、第１のアンテナ装置１００と電気的に接続されている。ＲＦリーダライタ２００は、第１のアンテナ装置１００を介して、後述するゲーム用チップ４００の内部に設けられているＲＦＩＤ用ＩＣタグ４１０（図２参照）とアクセスできる。具体的には、ＲＦリーダライタ２００は、第１のアンテナ装置１００を用いた無線通信によって、ゲーム用チップ４００のＲＦＩＤ用ＩＣタグ４１０に記憶されている各種の情報を読み取ったり又は書き込んだりする。
【００４７】
ＲＦＩＤ用ＩＣタグ４１０に記憶されている各種の情報には、チップ識別情報が含まれる。チップ識別情報は、ゲーム用チップ４００を識別するためのチップＩＤ（たとえば、ＩＤシリアルナンバー）などの情報である。ＲＦＩＤ用ＩＣタグ４１０として書き換え可能なものを用いることで、ＲＦリーダライタ２００は、ＲＦＩＤ用ＩＣタグ４１０に所望する情報を書き込むことができる。このように、ＲＦＩＤ用ＩＣタグ４１０には、各種の情報を記憶することができるが、以下では、主として、チップ識別情報について説明する。
【００４８】
ＲＦリーダライタ２００は、制御部２１０と送受信部２２０とを有する。送受信部２２０は、制御部２１０に電気的に接続されている。制御部２１０は、リーダ／ライタ制御装置（図４参照）から発せられた命令を受け取る。制御部２１０は、受け取った命令に応じて送受信部２２０を駆動する。
【００４９】
送受信部２２０は、制御部２１０によって駆動されて、ゲーム用チップ４００から発せられたチップ識別情報を読み取る。制御部２１０は、読み取ったチップ識別情報をリーダ／ライタ制御装置に送信する。制御部２１０は、たとえば、ＣＰＵ、ＲＯＭ及びＲＡＭ（図示せず）を有するマイクロコンピュータによって構成される。
【００５０】
送受信部２２０は、第１のアンテナ装置１００を介してゲーム用チップ４００のＲＦＩＤ用ＩＣタグ４１０と無線による通信を行う機能を有する。送受信部２２０は、変調部２２２と復調部２４とを有する。送受信部２２０は、たとえば、変調回路や復調回路を有するＲＦモジュールなどから構成される。
【００５１】
変調部２２２は、制御部２１０から受け取った所定のコマンド、リクエスト、命令などの情報に基づいて所定の変調方式でキャリア波を変調し、変調波（変調信号）を生成する。生成された変調波は、第１のアンテナ装置１００に供給され、第１のアンテナ装置１００から電磁波として発せられる。
【００５２】
復調部２２４には、第１のアンテナ装置１００が受信した変調波が、変調信号として供給される。この変調波は、ゲーム用チップ４００において、ＲＦＩＤ用ＩＣタグ４１０が記憶しているデータに基づいて所定の変調方式でキャリア波が変調された電磁波である。復調部２２４は、第１のアンテナ装置１００から供給された変調信号を復調し、ＲＦＩＤ用ＩＣタグ４１０が記憶していたデータを取り出して、制御部２１０に渡す。このようにして、ＲＦＩＤ用ＩＣタグ４１０が記憶しているチップ識別情報が制御部２１０に渡される。
【００５３】
このように、ＲＦリーダライタ２００によって、第１のアンテナ装置１００から電磁波を送信したり受信したりすることで、後述するゲーム用チップ４００のＲＦＩＤ用ＩＣタグ４１０とアクセスすることができる。
【００５４】
＜＜＜ゲーム用チップ４００の構成＞＞＞
図５は、ゲーム用チップ４００の構成を示すブロック図である。
【００５５】
ゲーム用チップ４００は、カジノなどの遊技店で現金の代わりにディーラーや遊技者などの間でやり取りされる遊技媒体（記憶媒体）である。ゲーム用チップ４００は、一般的には、樹脂などを円板状などに成形した媒体である。
【００５６】
ゲーム用チップ４００は、ＲＦＩＤ用ＩＣタグ４１０と、制御部４１２と、送受信部４１４と、アンテナ４１６とを有する。
【００５７】
ＲＦＩＤ用ＩＣタグ４１０は、ＲＦリーダライタ２００から発せられた読み取り信号によって読み出し可能なチップ識別情報を記憶している。また、書き換え可能なＩＣタグを用いることで、所望する各種の情報を書き込むこともできる。
【００５８】
制御部４１２は、ＲＦリーダライタ２００から発せられたコマンドやリクエストや命令などを解釈し、これに応答する動作を実行する。送受信部４１４は、変調部（図示せず）、復調部（図示せず）を有する。送受信部４１４は、ＲＦリーダライタ２００と無線によりチップ識別情報などの各種の情報の送受信を行うために信号の変調／復調を行う。
【００５９】
アンテナ４１６は、ＲＦリーダライタ２００に接続されている第１のアンテナ装置１００からの変調波を受信できる。また、アンテナ４１６は、第２のアンテナ装置３００から共振波も受信できる。
【００６０】
第１のアンテナ装置１００からの変調波と、第２のアンテナ装置３００からの共振波との双方による電磁波の強度が、所定の強度であれば、制御部４１２や送受信部４１４を駆動するのに必要な起電力を生じさせることができ、受信した変調波や共振波によって制御部４１２及び送受信部４１４は給電される。
【００６１】
変調波や共振波によって制御部４１２及び送受信部４１４が給電され駆動したときには、送受信部４１４は、ＲＦリーダライタ２００から発せられたコマンドやリクエストや命令に応じた情報、たとえば、チップ識別情報を示す変調信号を生成する。アンテナ４１６は、送受信部４１４が生成した変調信号を受け取り、チップ識別情報を示す変調波を送信する。この変調波の周波数は、第１のアンテナ装置１００から送信される電磁波の周波数とは異なる。なお、上述したように、第１のアンテナ装置１００から送信される電磁波の周波数と、第２のアンテナ装置３００で生成される共振電磁波の周波数とは同じである。
【００６２】
アンテナ４１６から発せられたキャリア波は、上述した第１のアンテナ装置１００によって受信され、ＲＦリーダライタ２００に供給される。このようにすることで、ＲＦリーダライタ２００は、ＲＦＩＤ用ＩＣタグ４１０に記憶されたチップ識別情報を読み取ることができる。
【００６３】
アンテナ４１６も、ＨＦ帯を想定しており、いわゆるループアンテナであり、導線を環状（ループ状）にして形成されたアンテナである。アンテナ４１６の近傍では、磁界成分が支配的になる。なお、ゲーム用チップ４００のアンテナ４１６の大きさは、第１のアンテナ装置１００のアンテナ１１０や、第２のアンテナ装置３００のアンテナ３２０よりも小さい。このようにすることで、アンテナ４１６から発せられる電磁波の影響を小さくできる。
【００６４】
＜＜＜第１のアンテナ装置１００によって生成される電磁波と、第２のアンテナ装置３００によって生成される電磁波＞＞＞
第１のアンテナ装置１００の駆動と第２のアンテナ装置３００の駆動とによって生成される電磁波について、図６及び図７を用いて説明する。
【００６５】
図６（ａ）及び（ｂ）は、第１のアンテナ装置１００と第２のアンテナ装置３００との距離と、第１のアンテナ装置１００と第２のアンテナ装置３００とによって生成される電磁波の強度との関係を示すグラフである。図６に示すグラフの横軸は、第１のアンテナ装置１００と第２のアンテナ装置３００などの位置を示し、単位は、たとえば、メートルなどである。また、縦軸は、電磁波の強度を示し、単位は、たとえば、アンペア毎メートルなどである。図６（ａ）及び（ｂ）に示すグラフの横軸の原点Ｏの位置が、第１のアンテナ装置１００が配置された位置である。
【００６６】
図７（ａ）及び（ｂ）は、第１のアンテナ装置１００によって生成される電磁波及び磁力線と、第２のアンテナ装置３００によって生成される電磁波との様子を示す図である。
【００６７】
図６（ａ）及び図７（ａ）は、第１のアンテナ装置１００を原点Ｏに配置し、第２のアンテナ装置３００を位置ｄ３に配置したときのグラフ及び図である。また、図６（ｂ）及び図７（ｂ）は、第１のアンテナ装置１００を原点Ｏに配置し、第２のアンテナ装置３００を位置ｄ４に配置したときのグラフ及び図である。位置ｄ４は、位置ｄ３よりも原点Ｏに近い位置である。
【００６８】
図６（ａ）及び（ｂ）において、破線Ｉ１は、第１のアンテナ装置１００によって生成される電磁波の強度を示す曲線である。また、第２のアンテナ装置３００の共振装置３１０は、第１のアンテナ装置１００によって生成された電磁波により共振され、第２のアンテナ装置３００の共振装置３１０によって電磁波（以下、共振電磁波と称する。）が生成される。一点鎖線Ｉ２は、第２のアンテナ装置３００によって生成される電磁波の強度を示す曲線である。また、図６（ａ）における実線Ｉ３、及び図６（ｂ）における実線Ｉ４は、第１のアンテナ装置１００によって生成される電磁波と、第２のアンテナ装置３００の共振装置３１０によって生成され送信される電磁波とが合成したことによるその場所の電磁界強度を示す曲線である。以下では、この電磁界強度を合成電磁界強度と称する。
【００６９】
図６（ａ）及び（ｂ）において、水平方向に伸びる強度Ｉ０は、ゲーム用チップ４００の制御部４１２の駆動に必要な起電力を生じさせるのに最小の電磁波の強度を示す。したがって、強度Ｉ０以上の強度の電磁波がゲーム用チップ４００のアンテナ４１６で受信された場合には、制御部４１２及び送受信部４１４の駆動に必要な起電力を生じさせることができ、ＲＦＩＤ用ＩＣタグと読み書きをすることができる。一方、強度Ｉ０未満の強度の電磁波がゲーム用チップ４００のアンテナ４１６で受信された場合には、制御部４１２及び送受信部４１４の駆動に必要な起電力を生じさせることができず、ＲＦＩＤ用ＩＣタグとの読み書きをすることができない。
【００７０】
図６（ａ）の場合には、第２のアンテナ装置３００を位置ｄ３に配置している。この場合には、実線Ｉ３に示すように、合成電磁界強度Ｉ３は、位置ｄ１ないしｄ２の間で、強度Ｉ０より小さくなる。したがって、位置ｄ１ないしｄ２の間の位置に、ゲーム用チップ４００が配置された場合には、合成電磁界強度Ｉ３が強度Ｉ０未満となる電磁波がゲーム用チップ４００のアンテナ４１６で受信されることになり、制御部４１２の駆動に必要な起電力を生じさせることができず、ＲＦＩＤ用ＩＣタグとの読み書きをすることができない。
【００７１】
一方、図６（ｂ）の場合には、第２のアンテナ装置３００を、位置ｄ３よりも原点Ｏに近い位置ｄ４に配置している。この場合には、第１のアンテナ装置１００から第２のアンテナ装置３００に至るまでの任意の位置で、合成電磁界強度Ｉ４は、強度Ｉ０より大きくなる。したがって、第１のアンテナ装置１００から第２のアンテナ装置３００に至るまでの間の任意の位置で、合成電磁界強度Ｉ４が強度Ｉ０以上となる電磁波がゲーム用チップ４００のアンテナ４１６で受信される。強度Ｉ０以上となる電磁波の受信によって、ゲーム用チップ４００の制御部４１２及び送受信部４１４に給電できる。給電によって制御部４１２及び送受信部４１４が駆動され、チップ識別情報を示すキャリア波がゲーム用チップ４００から発せられる。このように、図６（ｂ）の場合には、第１のアンテナ装置１００から第２のアンテナ装置３００に至るまでの位置に、ゲーム用チップ４００を配置することができる。
【００７２】
上述したように、図６（ａ）及び（ｂ）は、電磁波の強度を示すグラフである。これに対して、図７（ａ）及び（ｂ）は、生成される電磁波及び磁力線の様子を示す図である。図７（ａ）は、図６（ａ）と同様に、第１のアンテナ装置１００を原点Ｏに配置するとともに、第２のアンテナ装置３００を位置ｄ３に配置した場合に生成される電磁波及び磁力線を示す図である。また、図７（ｂ）は、図６（ｂ）と同様に、第１のアンテナ装置１００を原点Ｏに配置するとともに、第２のアンテナ装置３００を位置ｄ４に配置した場合に生成される電磁波及び磁力線を示す図である。
【００７３】
第１のアンテナ装置１００を原点Ｏに配置するとともに、第２のアンテナ装置３００を位置ｄ３に配置した場合には、図７（ａ）に示すように、第１のアンテナ装置１００によって生成された電磁波（磁力線）の一部は、第２のアンテナ装置３００に到達する。第２のアンテナ装置３００に到達した電磁波は、第２のアンテナ装置３００の共振装置３１０を共振させ、共振電磁波が生成される。
【００７４】
図７（ａ）においては、第１のアンテナ装置１００によって生成された電磁波のうち、強度が強度Ｉ０よりも大きくなる領域をＨ１で示した。図７（ａ）に示した例では、第１のアンテナ装置１００が円形コイルの場合であり、領域Ｈ１を、略球形の形状を有する領域として示した。また、第２のアンテナ装置３００の共振装置３１０による共振によって生成された共振電磁波のうち、強度が強度Ｉ０よりも大きくなる領域をＨ２で示した。領域Ｈ２も、第２のアンテナ装置３００が円形コイルの場合であり、略球形の形状を有する領域として示した。
【００７５】
図７（ａ）に示す例においては、領域Ｈ１に９枚のゲーム用チップ４００（図７（ａ）において実線で示したゲーム用チップ）が含まれている。領域Ｈ１に含まれているので、９枚のゲーム用チップ４００の各々で、強度Ｉ０以上の強度の電磁波が受信され、制御部４１２及び送受信部４１４の駆動に必要な起電力を生じさせることができ、ＲＦＩＤ用ＩＣタグとの読み書きをすることができる。
【００７６】
同様に、図７（ａ）に示す例において、領域Ｈ２に２枚のゲーム用チップ４００（図７（ａ）において実線で示したゲーム用チップ）が含まれている。領域Ｈ２に含まれているので、２枚のゲーム用チップ４００の各々で、強度Ｉ０以上の強度の電磁波が受信され、制御部４１２及び送受信部４１４の駆動に必要な起電力を生じさせることができ、ＲＦＩＤ用ＩＣタグとの読み書きをすることができる。
【００７７】
しかしながら、図７（ａ）に示す例では、領域Ｈ１と領域Ｈ２との間には、合成電磁界強度が強度Ｉ０よりも小さい領域が存在する。この領域が、図６（ａ）に示す位置ｄ１と位置ｄ２との間に対応する。したがって、位置ｄ１と位置ｄ２との間に、ゲーム用チップ４００（図７（ａ）において破線で示した３枚のゲーム用チップ）を配置しても、受信した電磁波によって、制御部４１２及び送受信部４１４の駆動に必要な起電力を生じさせることができず、ＲＦＩＤ用ＩＣタグとの読み書きをすることができない。
【００７８】
図７（ａ）と同様に、図７（ｂ）においても、第１のアンテナ装置１００によって生成された電磁波のうち、強度が強度Ｉ０よりも大きくなる領域をＨ１で示した。図７（ｂ）に示した例でも、第１のアンテナ装置１００が円形コイルの場合であり、領域Ｈ１を、略球形の形状を有する領域として示した。同様に、第２のアンテナ装置３００の共振装置３１０の共振によって生成された共振電磁波のうち、強度が強度Ｉ０よりも大きくなる領域をＨ２で示した。同様に、領域Ｈ２も、第２のアンテナ装置３００が円形コイルの場合であり、略球形の形状で示した。
【００７９】
図７（ｂ）に示す例の場合には、図７（ａ）とは異なり、領域Ｈ１と領域Ｈ２との間には、電磁波の強度が強度Ｉ０よりも小さくなる領域が存在せず、第１のアンテナ装置１００と第２のアンテナ装置３００との間の任意の位置で、合成電磁界強度は強度Ｉ０より大きくなる。したがって、第１のアンテナ装置１００から第２のアンテナ装置３００に至るまでの間の任意の位置で、合成電磁界強度が強度Ｉ０以上となる電磁波がゲーム用チップ４００のアンテナ４１６で受信される。合成電磁界強度が強度Ｉ０以上となる電磁波によって、ゲーム用チップ４００の制御部４１２及び送受信部４１４に給電できる。給電によって制御部４１２及び送受信部４１４が駆動され、チップ識別情報を示すキャリア波がゲーム用チップ４００から発せられる。
【００８０】
図７（ｂ）に示す例においては、第１のアンテナ装置１００と第２のアンテナ装置３００との間に、１５枚のゲーム用チップ４００（図７（ｂ）において実線で示したゲーム用チップ）が含まれている。これらのゲーム用チップ４００は、必ず領域Ｈ１又はＨ２に含まれているので、１５枚のゲーム用チップ４００の各々で、強度Ｉ０以上の強度の電磁波が受信され、制御部４１２及び送受信部４１４の駆動に必要な起電力を生じさせることができ、１５枚のゲーム用チップ４００の全てのＲＦＩＤ用ＩＣタグとの読み書きをすることができる。
【００８１】
このように、第１のアンテナ装置１００と第２のアンテナ装置３００との間の距離を調節することによって、ゲーム用チップ４００において十分な起電力を生じさせ、第１のアンテナ装置１００と第２のアンテナ装置３００との間の任意の位置にゲーム用チップ４００を配置しても、ＲＦＩＤ用ＩＣタグとの読み書きをすることができる。
【００８２】
上述したように、第１のアンテナ装置１００によって生成される電磁波と、第２のアンテナ装置３００の共振装置３１０によって生成される電磁波とが合成する。合成した場所における合成電磁界強度が強度Ｉ０以上となる電磁波がゲーム用チップ４００のアンテナ４１６で受信できた場合には、ゲーム用チップ４００の制御部４１２及び送受信部４１４に、駆動に必要な起電力を供給できる。起電力の供給によって制御部４１２及び送受信部４１４が駆動され、チップ識別情報を示すキャリア波がゲーム用チップ４００から発せられる。
【００８３】
また、第１のアンテナ装置１００によって生成される電磁波の強度Ｉ１を調整することにより、第２のアンテナ装置３００の共振装置３１０の共振によって生成される共振電磁波の強度Ｉ２を定めることができる。なお、第１のアンテナ装置１００から発する電磁波の強度Ｉ１は、ＲＦリーダライタ２００の制御部２１０による制御によって定めることができ、ＲＦリーダライタ２００に接続されているリーダ／ライタ制御装置（図４参照）によって、強度Ｉ１を制御することができる。このように、ＲＦリーダライタ２００の制御部２１０や、リーダ／ライタ制御装置は、第１のアンテナ装置１００から発する電磁波の強度を調整したり変更したりする強度設定装置を構成できる。
【００８４】
このように、第１のアンテナ装置１００と第２のアンテナ装置３００との間の距離や、第１のアンテナ装置１００から発する電磁波の強度や、ＲＦＩＤタグの感度によって、領域Ｈ１及び領域Ｈ２の範囲を定めることができる。
【００８５】
第１のアンテナ装置１００と第２のアンテナ装置３００との間の距離や、共振装置３１０の共振回路の時定数や、第１のアンテナ装置１００によって生成される電磁波の周波数及び強度などを適宜調節することにより、第２のアンテナ装置３００の共振装置３１０における共振条件を定めることができる。
【００８６】
ここまでは、１つの第１のアンテナ装置１００と１つの第２のアンテナ装置３００とを用いた例を説明した。１つの第１のアンテナ装置１００と複数の第２のアンテナ装置３００とを用いてもよい。
【００８７】
第１のアンテナ装置１００と複数（ｉ個）の第２のアンテナ装置３００（１〜ｉ）とを設けて、順次、共振を生じさせるようにできる。第１のアンテナ装置１００に最も近い１番目の第２のアンテナ装置３００（１）は、第１のアンテナ装置１００から送信された電磁波によって共振されて共振電磁波を生成する。次に、１番目の第２のアンテナ装置３００（１）に最も近い２番目の第２のアンテナ装置３００（２）は、第１のアンテナ装置１００から送信された共振電磁波によって共振されて、さらなる共振電磁波を生成する。次に、２番目の第２のアンテナ装置３００（２）に最も近い３番目の第２のアンテナ装置３００（３）が同様に、共振電磁波を生成する。このように順次、共振電磁波を生成していくことにより、ｉ番目の第２のアンテナ装置３００（ｉ）に至るまで、共振電磁波を生成させることができる。第１のアンテナ装置１００から送信された電磁波とこれらの共振電磁波との合成による合成電磁界強度が強度Ｉ０以上となる位置であれば、ゲーム用チップ４００を置いて、制御部４１２及び送受信部４１４の駆動に必要な起電力を生じさせることができ、ＲＦＩＤ用ＩＣタグとの読み書きをすることができる。
【００８８】
このようにすることで、第１のアンテナ装置１００から離隔して、第１のアンテナ装置１００から発せられた電磁波の強度が小さくなるような位置であっても、第２のアンテナ装置３００を設けて共振電磁波を生成し、合成電磁界強度が強度Ｉ０以上になれば、ゲーム用チップ４００のＲＦＩＤ用ＩＣタグとの読み書きをすることができる。したがって、第１のアンテナ装置１００と複数の第２のアンテナ装置３００とを設けることによって、ゲーム用チップ４００の制御部４１２及び送受信部４１４の駆動に要する起電力を生じさせる強度の磁場が存在する領域を拡大することができる。すなわち、複数の第２のアンテナ装置３００を所定の位置に配置し、全ての第２のアンテナ装置３００で共振を生じさせて所定の起電力を生じさせることで、所望する位置まで共振電磁場を生じさせることができ、その所望する位置にあるＲＦＩＤタグと読み書きすることができる。第２のアンテナ装置３００で共振されることによって、第２のアンテナ装置３００の位置まで第１のアンテナ装置１００が延在するような構成にできる。
【００８９】
第１のアンテナ装置１００のアンテナ１１０のループ状の箇所と、第２のアンテナ装置３００のアンテナ３２０のループ状の箇所と、ゲーム用チップ４００のアンテナ４１６のループ状の箇所とが、互いに平行になるように配置するのが好ましい。このようにすることで、電磁波を効率よく送受信できる。なお、必ずしも、これらのアンテナのループ状の箇所が互いに平行になるように配置しなくてもよい。互いに平行に配置しなくても、第２のアンテナ装置３００で共振させて、合成電磁界強度を強度Ｉ０以上にできれば、制御部４１２及び送受信部４１４の駆動に必要な起電力を生じさせることができる。したがって、第２のアンテナ装置３００で共振させて、合成電磁界強度を強度Ｉ０以上にできれば、これらのアンテナを所望する向きに配置してよい。
【００９０】
＜＜チップトレイ構造体６００＞＞
図８は、チップトレイ構造体６００を示す斜視図である。チップトレイ構造体６００は、チップトレイ６１０と基板カバー６２０とベース６３０とからなる３層構造を有する。さらに、チップトレイ６１０の上部を覆うための蓋体６６０を有する。蓋体６６０は、チップトレイ６１０に対して施錠することができる。
【００９１】
チップトレイ６１０は、遊技者に渡すゲーム用チップ４００や、遊技者から回収したゲーム用チップ４００を収納するためのトレイである。チップトレイ６１０にはゲーム用チップ４００を収納するための複数の溝６１２、たとえば１８本の溝６１２が手前側から奥側に向かって形成されている。１本の溝６１２には、３０枚のゲーム用チップ５００を収納することができる。
【００９２】
このチップトレイ構造体６００に、第１のアンテナ装置１００と第２のアンテナ装置３００とを設けて、チップトレイ構造体６００に収容されているゲーム用チップ４００のチップ識別情報によって、ゲーム用チップ４００を管理することができる。
【００９３】
図９は、チップトレイ６１０の直列に並んだ２本の溝６１２の近くに設けられた第１のアンテナ装置１００と第２のアンテナ装置３００との概略を示す図である。図９においては、直列に並んだ２本の溝６１２を、溝６１２ａ及び溝６１２ｂと称する。
【００９４】
溝６１２ａ及び溝６１２ｂは、断面が略半円の略半円筒形の長尺な形状を有する。溝６１２ａは、第１の端部６２２ａと第２の端部６２４ａとを有する。第１の端部６２２ａと第２の端部６２４ａとは、溝６１２ａの長手方向において最も離隔した位置に互いに向かい会うように形成されている。溝６１２ａにおいて、第１の端部６２２ａと第２の端部６２４ａとの間に、最大で３０枚のゲーム用チップ４００が収容される。同様に、溝６１２ｂは、第１の端部６２２ｂと第２の端部６２４ｂとを有する。第１の端部６２２ｂと第２の端部６２４ｂとは、溝６１２ｂの長手方向において最も離隔した位置に互いに向かい会うように形成されている。溝６１２ｂにおいて、第１の端部６２２ｂと第２の端部６２４ｂとの間に、最大で３０枚のゲーム用チップ４００が収容される。
【００９５】
溝６１２ａの第２の端部６２４ａと溝６１２ｂの第１の端部６２２ｂとの間に、第１のアンテナ装置１００が配置されている。第１のアンテナ装置１００は、上述したように、ループアンテナである。また、ゲーム用チップ４００のアンテナ４１６もループアンテナである。第１のアンテナ装置１００のループ状のなす面が、溝６１２ａ及び溝６１２ｂに収納されたゲーム用チップ４００のループ状のなす面と略平行になるように、第１のアンテナ装置１００は配置されている。このようにすることで、第１のアンテナ装置１００から発せられる磁力線を、ゲーム用チップ４００のループアンテナに、的確に貫くことができ、第１のアンテナ装置１００とゲーム用チップ４００との間で、電磁波を効率よく送受信できる。
【００９６】
溝６１２ａの第１の端部６２２ａ側であって溝６１２ａの外側に、第２のアンテナ装置３００ａが配置されている。同様に、溝６１２ｂの第２の端部６２４ｂ側であって溝６１２ｂの外側に、第２のアンテナ装置３００ｂが配置されている。第２のアンテナ装置３００ａ及び３００ｂも、上述したように、ループアンテナである。第２のアンテナ装置３００ａ及び３００ｂのループ状のなす面が、第１のアンテナ装置１００のループ状のなす面と略平行になるように、第２のアンテナ装置３００ａ及び３００ｂは配置されている。このようにすることで、第１のアンテナ装置１００やゲーム用チップ４００から発せられる磁力線を、第２のアンテナ装置３００ａ及び３００ｂのループアンテナに、的確に貫くことができ、電磁波を効率よく送受信できる。
【００９７】
第１のアンテナ装置１００によって生成される電磁波は、第２のアンテナ装置３００ａ及び３００ｂの双方に向かって広がる。第２のアンテナ装置３００ａに向かって広がった電磁波は、第２のアンテナ装置３００ａの共振装置３１０を共振させ、溝６１２ａに向かって共振電磁波を生成する。このようにすることで、溝６１２ａにおいて、第１のアンテナ装置１００によって生成される電磁波と、第２のアンテナ装置３００ａの共振装置３１０によって生成され送信される電磁波とが合成される。
【００９８】
溝６１２ａの長手方向の長さに応じて、第１のアンテナ装置１００によって生成される電磁波の強度は定められている。具体的には、溝６１２ａの第１の端部６２２ａから第２の端部６２４ａに至るまでに亘って、合成電磁界強度が、上述した強度Ｉ０以上となるように第１のアンテナ装置１００によって生成される電磁波の強度は定められている。このようにすることで、溝６１２ａのいずれの位置にゲーム用チップ４００を配置したとしても、制御部４１２及び送受信部４１４の駆動に必要な起電力を生じさせることができ、ＲＦＩＤ用ＩＣタグとの読み書きをすることができる。
【００９９】
溝６１２ｂも同様であり、溝６１２ｂのいずれの位置にゲーム用チップ４００を配置したとしても、制御部４１２及び送受信部４１４の駆動に必要な起電力を生じさせることができ、ＲＦＩＤ用ＩＣタグとの読み書きをすることができる。
【０１００】
このように、第１のアンテナ装置１００を挟むように２つの第２のアンテナ装置３００（一方の第２のアンテナ装置３００及び他方の第２のアンテナ装置３００）を設ける。第１のアンテナ装置１００と一方の第２のアンテナ装置３００との間には、ゲーム用チップ４００を少なくとも１つ収容できる収容部を有する。また、第１のアンテナ装置１００と他方の第２のアンテナ装置３００との間には、ゲーム用チップ４００を少なくとも１つ収容できる収容部を有する。
【０１０１】
第１のアンテナ装置１００と一方の第２のアンテナ装置３００との間に収容されたゲーム用チップ４００は、これらの第１のアンテナ装置１００と一方の第２のアンテナ装置３００とによって、チップ識別情報が読み取られる。同様に、第１のアンテナ装置１００と他方の第２のアンテナ装置３００との間に収容されたゲーム用チップ４００は、これらの第１のアンテナ装置１００と他方の第２のアンテナ装置３００とによって、チップ識別情報が読み取られる。
【０１０２】
このように、チップトレイ構造体６００における直列に並んだ２本の溝６１２に対して第１のアンテナ装置１００と第２のアンテナ装置３００とを配置することによって、チップトレイ構造体６００に収容された全てのゲーム用チップ４００のチップ識別情報を読み取ることができる。
【０１０３】
チップトレイ６１０と基板カバー６２０とベース６３０と蓋体６６０は、非金属の材料、たとえば、プラスチックなどで構成されているものが好ましい。非金属の材料にすることで、第１のアンテナ装置１００や一方の第２のアンテナ装置３００から的確に所望する電磁波を生成することができる。
【０１０４】
＜＜他の実施の形態＞＞
上述した実施の形態では、第１のアンテナ装置１００と第２のアンテナ装置３００との間に配置されたゲーム用チップ４００とアクセスする例を示した。しかしながら、図７（ｂ）に示すように、第２のアンテナ装置３００によって生成される電磁波は、第１のアンテナ装置１００と第２のアンテナ装置３００との間のみならず、第２のアンテナ装置３００の外側、すなわち、第１のアンテナ装置１００から離隔する方向の領域にも生成される（図７（ａ）及び（ｂ）参照）。
【０１０５】
この第２のアンテナ装置３００の外側に生成される電磁波を使って、ゲーム用チップ４００とアクセスするようにしてもよい。すなわち、図７（ｂ）に示す領域Ｈ２に含まれる領域ならば、第２のアンテナ装置３００の外側にゲーム用チップ４００を配置した場合であっても、ゲーム用チップ４００のチップ識別情報を読み取ることができる。
【０１０６】
たとえば、ゲーム用テーブルの下方に第２のアンテナ装置３００を設け、さらに、第２のアンテナ装置３００の下方に第１のアンテナ装置１００を設けるように構成し、第２のアンテナ装置３００によって生成される領域Ｈ２がゲーム用テーブルの上方に漏れるようにする。このようにすることで、ゲーム用テーブルの上に配置されたゲーム用チップ４００のチップ識別情報を読み取ることができる。
【０１０７】
第１のアンテナ装置１００と第２のアンテナ装置３００との距離や、第１のアンテナ装置１００に供給する電力を調整することによって、ゲーム用テーブルの上方に漏れる電磁波の強度や広がりを所望するものにできる。具体的には、第１のアンテナ装置１００の大きさを大きくしたり第１のアンテナ装置１００に供給する電力を大きくしたりすることで、第２のアンテナ装置３００によって生成される共振波の強度を大きくできる。一方、第２のアンテナ装置３００の大きさを制限することで、第２のアンテナ装置３００によって生成される共振波が広がる範囲を抑えることができる。このようにすることで、読み取ることができるゲーム用チップ４００の枚数を増やすことができるとともに、隣接したベット領域にゲーム用チップ４００が置かれた場合でも誤って読み取ることを防止できる。
【０１０８】
このように、第１のアンテナ装置１００の大きさや、第１のアンテナ装置１００に供給する電力や、第２のアンテナ装置３００の大きさなどを調節することで、第２のアンテナ装置３００によって生成される共振波の領域Ｈ２を所望するものにできる。
【０１０９】
また、識別情報アクセス装置を倉庫や書庫などのラックなどに用いて、物品の在庫管理などにも用いることができる。たとえば、第１のアンテナ装置１００をラックの壁面や柱などに設け、第２のアンテナ装置３００を第１のアンテナ装置１００から離隔した壁面や柱などに設ける。第１のアンテナ装置１００と第２のアンテナ装置３００との間の空間において、合成電磁界強度が強度Ｉ０以上になるようにしたり、第２のアンテナ装置３００で共振させるようにしたり、各種の条件を設定する。このようにすることで、第１のアンテナ装置１００と第２のアンテナ装置３００との間の空間にＲＦＩＤ用ＩＣタグを設けた物品を配置する。ＲＦＩＤ用ＩＣタグには、その物品を識別するための識別情報が記憶されている。
【０１１０】
第１のアンテナ装置１００にのみ、ＲＦリーダライタ２００を接続すればよいので、倉庫や書庫などの構成や管理を簡素にできる。特に、倉庫や書庫などでは、ラックを構成する壁面や柱が、複数、並置されている場合が多い。したがって、複数のアンテナを設ける必要がある。このような場合でも、ＲＦリーダライタ２００を接続する必要があるのは、アンテナ装置１００のみであるので、配線を簡略化でき、倉庫や書庫などの構成や管理を簡素にできる。
【符号の説明】
【０１１１】
１００  第１のアンテナ装置
２００  ＲＦリーダライタ
３００  第２のアンテナ装置
３１０  共振装置
３２０  アンテナ３２０
３３０  コンデンサ３３０
３４０  抵抗
４００  ゲーム用チップ（記憶媒体）
【図１】
0006006383.tif 000002
【図２】
0006006383.tif 000003
【図３】
0006006383.tif 000004
【図４】
0006006383.tif 000005
【図５】
0006006383.tif 000006
【図６】
0006006383.tif 000007
【図７】
0006006383.tif 000008
【図８】
0006006383.tif 000009
【図９】
0006006383.tif 000010